(57)【要約】【課題】  ヘッドの上蓋における厚さ減少分（即ち重量）をヘッドの下側、後側又はクッション部材に移すことにより、ヘッドの重量を増加させないまま重心を低くし、且つクッション効果を向上させることが達成できるゴルフクラブヘッドを提供する。【解決手段】  上蓋の周縁の厚さがヘッドの他の部分と等しいと共に、下側に凹部が形成され、該凹部に複数のリブが設けられることを特徴とする。【選択図】    図２
2005237948.tif 000002
【特許請求の範囲】
【請求項１】
中空のゴルフクラブヘッドの上蓋に加工ゾーンが設けられ、該加工ゾーンの上側の削除基準面に複数の突出ブロックが一体に設けられると共に、下側に凹部が形成され、上蓋の周縁の肉厚がヘッドの他の部分と等しくする、ゴルフクラブヘッドを成形するステップと、
前記削除基準面に沿って各突出ブロックを削除することにより、上蓋の厚さを減らせる、突出ブロックを削除するステップと、
前記上蓋を研磨する、ゴルフクラブヘッドを研磨するステップとを有することを特徴とする、
ゴルフクラブヘッドの製造方法。
【請求項２】
上蓋の周縁の厚さがヘッドの他の部分と等しいと共に、下側に凹部が形成され、該凹部に複数のリブが設けられることを特徴とするゴルフクラブヘッド。
【請求項３】
前記上蓋の周縁の厚さが０．９ｍｍであり、上蓋の上側から凹部までの肉厚が０．５ｍｍであり、リブの肉厚が０．８ｍｍであることを特徴とする請求項２に記載のゴルフクラブヘッド。
【発明の詳細な説明】
【技術分野】
【０００１】
本発明は、特にヘッドの上蓋における厚さ減少分（即ち重量）をヘッドの下側、後側又はクッション部材に移すことにより、ヘッドの重量を増加させないまま重心を低くし、且つクッション効果を向上させるゴルフクラブヘッドの製造方法及びゴルフクラブヘッドに関するものである。
【背景技術】
【０００２】
図７に示すように、従来のゴルフクラブヘッド（２０）は、例えばステンレス合金又はチタン合金などの金属からなり、その重心位置はスイングやショットに影響を与えるものである。又、従来のゴルフクラブヘッドの肉厚（厚さ）は約０．９ｍｍであるが、これより薄いと、ゴルフクラブヘッドの製造が困難となる。尚、このようなゴルフクラブヘッドは一般によく使用されるものであるため、特に特許文献又は非特許文献には記載されていない。
【発明の開示】
【発明が解決しようとする課題】
【０００３】
しかしながら、低重心を達成するために、ゴルフクラブヘッドの下側又は後側の重量を増やしたり、クッション効果を向上したりするために、ゴルフクラブヘッドの下側又は後側にクッション部材を設けてしまうと、ゴルフクラブヘッドの総重量が増加するので、ゴルフクラブの軽量化を達成することができない。
【０００４】
そこで、出願されたのが本発明であって、ヘッドの上蓋における厚さ減少分（即ち重量）をヘッドの下側、後側又はクッション部材に移すことにより、ヘッドの重量を増加させないまま重心を低くし、且つクッション効果を向上させるゴルフクラブヘッドの製造方法及びゴルフクラブヘッドを提供することを目的としている。
【課題を解決するための手段】
【０００５】
本願の請求項１の発明は、中空のゴルフクラブヘッドの上蓋に加工ゾーンが設けられ、該加工ゾーンの上側の削除基準面に複数の突出ブロックが一体に設けられると共に、下側に凹部が形成され、上蓋の周縁の肉厚がヘッドの他の部分と等しい、ゴルフクラブヘッドを成形するステップと、
前記削除基準面に沿って各突出ブロックを削除することにより、上蓋の厚さを減らせる、突出ブロックを削除するステップと、
前記上蓋を研磨する、ゴルフクラブヘッドを研磨するステップとを有することを特徴とするゴルフクラブヘッドの製造方法及び、
本願の請求項２の発明は、上蓋の周縁の厚さがヘッドの他の部分と等しいと共に、下側に凹部が形成され、該凹部に複数のリブが設けられることを特徴とするゴルフクラブヘッド及び、
本願の請求項３の発明は、前記上蓋の周縁の厚さが０．９ｍｍであり、上蓋の上側から凹部までの肉厚が０．５ｍｍであり、リブの肉厚が０．８ｍｍであることを特徴とする請求項２に記載のゴルフクラブヘッド、を提供する。
【発明の効果】
【０００６】
本発明は上記の課題を解決するものであり、上蓋の下側に凹部が形成され、該厚さ減少分（重量）をヘッドの下側、後側又はクッション部材に移すことにより、ヘッドの重量を増加させないまま重心を低くし、且つクッション効果を向上させることができる。
【発明を実施するための最良の形態】
【０００７】
以下、添付図面を参照して本発明の好適な実施の形態を詳細に説明する。
【０００８】
図１は本発明に係るゴルフクラブヘッドの加工前状態を示す平面図であり、図２は本発明に係るゴルフクラブヘッドの加工前状態を示す断面図であり、図３は本発明に係るゴルフクラブヘッドの加工前状態を示す部分拡大断面図であり、図４は本発明に係るゴルフクラブヘッドの加工後状態を示す部分拡大断面図であり、図５は本発明に係るゴルフクラブヘッドの加工後状態を示す平面図であり、図６は本発明に係るゴルフクラブヘッドの加工後状態を示す断面図である。
【０００９】
本発明に係るゴルフクラブヘッドの製造方法は、以下に示すようなステップを有する。
（Ａ）ゴルフクラブヘッドを成形するステップ
図１及び図２に示すように、中空のゴルフクラブヘッド（１０）の上蓋（１５）に加工ゾーン（１２）が設けられ、該加工ゾーン（１２）の上側の削除基準面（１７）に複数の突出ブロック（１６）が一体に設けられると共に、下側に凹部（１４）が形成され、上蓋（１５）の周縁（１１）の肉厚がヘッド（１０）の他の部分と等しい０．９ｍｍである。
（Ｂ）突出ブロックを削除するステップ
図３に示すように、前記削除基準面（１７）から凹部（１４）までの肉厚が０．６ｍｍであり、突出ブロック（１６）の上端から凹部（１４）までの肉厚が１．３ｍｍであり、突出ブロック（１６）の上端から削除基準面（１７）までの距離が０．７ｍｍであり、該削除基準面（１７）に沿って各突出ブロック（１６）を削除することにより、上蓋（１５）の厚さを０．６ｍｍにする。
（Ｃ）ゴルフクラブヘッドを研磨するステップ
図４に示すように、上蓋（１５）を研磨することにより、上蓋（１５）の厚さを０．５ｍｍにする。
【００１０】
前記（Ｂ）及び（Ｃ）ステップにより、上蓋（１５）の厚さを１．３ｍｍから０．５ｍｍに減らせるので、該減少した厚さ分（重量）をヘッド（１０）の下側、後側又はクッション部材に移すことで、ヘッド（１０）の重量を増加しないで重心が低いことやクッション効果を向上することが達成できる。
【００１１】
又、図５及び図６に示すように、本発明に係るゴルフクラブヘッド（１０）は、上蓋（１５）の周縁（１１）の厚さがヘッド（１０）の他の部分と等しく、凹部（１４）に厚さが０，８ｍｍである複数のリブ（１３）が設けられることにより、上蓋（１５）の強度を補強する。
【００１２】
本発明は上記の構成を有するので、上蓋の下側に凹部が形成され、該厚さ減少分（重量）をヘッドの下側、後側又はクッション部材に移すことにより、ヘッドの重量を増加させないまま重心を低くし、且つクッション効果を向上させることができる。
【図面の簡単な説明】
【００１３】
【図１】本発明に係るゴルフクラブヘッドの加工前状態を示す平面図である。
【図２】本発明に係るゴルフクラブヘッドの加工前状態を示す断面図である。
【図３】本発明に係るゴルフクラブヘッドの加工前状態を示す部分拡大断面図である。
【図４】本発明に係るゴルフクラブヘッドの加工後状態を示す部分拡大断面図である。
【図５】本発明に係るゴルフクラブヘッドの加工後状態を示す平面図である。
【図６】本発明に係るゴルフクラブヘッドの加工後状態を示す断面図である。
【図７】従来のゴルフクラブヘッドを示す断面図である。
【符号の説明】
【００１４】
１０        ヘッド
１１        周縁
１２        加工ゾーン
１３        リブ
１４        凹部
１５        上蓋
１６        突出ブロック
１７        削除基準面
２０        ヘッド
【図１】
2005237948.tif 000003
【図２】
2005237948.tif 000004
【図３】
2005237948.tif 000005
【図４】
2005237948.tif 000006
【図５】
2005237948.tif 000007
【図６】
2005237948.tif 000008
【図７】
2005237948.tif 000009